(57)【要約】【課題】本発明の目的は、簡単な構成で熱交換器を挟持可能なファンモータ台を提供することである。【解決手段】ファンモータ台２０は、モータ保持部２２と、接触部２４と、を備える。接触部２４は、第１係止部１４１と、第２係止部１４２と、第３係止部１４３と、を含む。第１係止部１４１は、１の室外熱交換器３０が設置される場合に折り曲げられて、１の室外熱交換器３０のファンモータ台２０側の前面に係止する。第２係止部１４２は、２つの室外熱交換器３０が設置される場合に折り曲げられて、２つの室外熱交換器３０のうちファンモータ台２０に隣接する室外熱交換器３０のファンモータ台２０側の前面に係止する。第３係止部１４３は、３つの室外熱交換器３０が設置される場合に折り曲げられて、３つの室外熱交換器３０のうちファンモータ台２０に隣接する室外熱交換器３０のファンモータ台２０側の前面に係止する。【選択図】図６
2016090086.tif 000002
【特許請求の範囲】
【請求項１】
１又は複数の熱交換器（３０）が設置される冷凍装置ユニット（１００）において、駆動モータ（１６）を支持するファンモータ台（２０）であって、
前記ファンモータ台は、
前記駆動モータが固定されるモータ保持部（２２）と、
前記熱交換器に接触する接触部（２４）と、
を備え、
前記接触部は、
１の熱交換器が設置される場合に折り曲げられて、前記１の熱交換器の前記ファンモータ台側の前面に係止する第１係止部（１４１）と、
２つの熱交換器が設置される場合に折り曲げられて、前記２つの熱交換器のうち前記ファンモータ台に隣接する熱交換器の前記ファンモータ台側の前面に係止する第２係止部（１４２）と、
３つの熱交換器が設置される場合に折り曲げられて、前記３つの熱交換器のうち前記ファンモータ台に隣接する熱交換器の前記ファンモータ台側の前面に係止する第３係止部（１４３）と、
を含む、ファンモータ台。
【請求項２】
１又は複数の熱交換器が設置される冷凍装置ユニットにおいて、駆動モータを支持するファンモータ台であって、
前記ファンモータ台は、
前記駆動モータが固定されるモータ保持部と、
前記熱交換器に接触する接触部と、
を備え、
前記接触部は、
１の熱交換器が設置される場合に折り曲げられて、前記１の熱交換器の前記ファンモータ台側の前面に係止する第１係止部と、
２つの熱交換器が設置される場合に折り曲げられて、前記２つの熱交換器のうち前記ファンモータ台に隣接する熱交換器の前記ファンモータ台側の前面に係止する第２係止部と、
を含む、ファンモータ台。
【請求項３】
前記接触部は各係止部に対応する各スリット（１５１、１５２、１５３）を有しており、各スリットに囲まれた部分により各係止部が形成されている、請求項１又は２に記載のファンモータ台。
【請求項４】
前記スリットは底部を有するＵ字状であり、前記Ｕ字状の底部の長さが所定長さ以上を有する、請求項３に記載のファンモータ台。
【請求項５】
複数の前記スリットは、互いに離隔するように形成されている、請求項３に記載のファンモータ台。
【請求項６】
複数の前記スリットは、前記ファンモータ台に隣接する側から前記熱交換器の背面側に向かって順に配置されており、前記ファンモータ台に隣接する側から前記熱交換器の背面側に向かって、前記係止部が折り曲げられる折り曲げ部（１４１ａ、１４２ａ、１４３ａ）の延びる方向の長さが順に大きくなるように形成されている、請求項５に記載のファンモータ台。
【請求項７】
天板（１３）に隣接する天板対向部（２３）をさらに備え、
前記接触部は、前記天板対向部に対して一段下がった位置において前記天板対向部に接続されている、請求項１又は２に記載のファンモータ台。
【請求項８】
前記接触部は、前記熱交換器の前面とは反対側の背面を係止する背面係止部（１４４）をさらに含む、請求項１又は２に記載のファンモータ台。
【発明の詳細な説明】
【技術分野】
【０００１】
本発明は、ファンモータ台に関する。
【背景技術】
【０００２】
空気調和機の室外機には、室外機の背面側から前面側に向かう空気流を生成するプロペラファンが設けられている。特許文献１（特開２０１２−１１２６２９号公報）には、プロペラファンのファンモータ軸が固定されるモータ取付台が開示されている。
【０００３】
特許文献１のモータ取付台には、モータ取付台の上方に、下方が開口した溝形状の溝部が形成されている。より具体的に、溝部は、モータ取付台の側面視において、下方の一辺が開口し、連続する３辺によって溝が形成されるように構成されている。モータ取付台の背面には熱交換器が配置されている。モータ取付台は、溝部により熱交換器の上端部を挟持する。これにより、モータ取付台は熱交換器に固定されるため、モータ取付台の安定性を確保することができる。
【発明の概要】
【発明が解決しようとする課題】
【０００４】
しかし、特許文献１のモータ取付台の溝部は、側面視において３辺からなり、コスト面及び加工の点において問題を有する。つまり、溝部は、モータ取付台の上部を折り曲げて、連続する３辺からなる溝状に形成する必要がある。そのため、溝部を形成するために必要となる材料面積が多く、モータ取付台のコストアップをもたらす。さらに、溝部は、熱交換器の位置に適合させて、金型を用いて３辺を有する溝状に折り曲げる必要がある。よって溝部の加工が煩雑である。結局、特許文献１のモータ取付台の溝部は、熱交換器を挟持可能な簡単な構成を提供できていない。
【０００５】
そこで、本発明の目的は、簡単な構成で熱交換器を挟持可能なファンモータ台を提供することを目的とする。
【課題を解決するための手段】
【０００６】
本発明の第１観点に係るファンモータ台は、１又は複数の熱交換器が設置される冷凍装置ユニットにおいて、駆動モータを支持するファンモータ台である。
【０００７】
ファンモータ台は、モータ保持部と、接触部と、を備える。モータ保持部は、駆動モータが固定される。接触部は、熱交換器に接触する。
【０００８】
接触部は、第１係止部と、第２係止部と、第３係止部と、を含む。第１係止部は、１の熱交換器が設置される場合に折り曲げられて、１の熱交換器のファンモータ台側の前面に係止する。第２係止部は、２つの熱交換器が設置される場合に折り曲げられて、２つの熱交換器のうちファンモータ台に隣接する熱交換器のファンモータ台側の前面に係止する。第３係止部は、３つの熱交換器が設置される場合に折り曲げられて、３つの熱交換器のうちファンモータ台に隣接する熱交換器のファンモータ台側の前面に係止する。
【０００９】
上記のファンモータ台によれば、熱交換器の設置数に応じた第１〜第３係止部が予め形成されている。そして、各係止部は、折り曲げによって形成される一面からなる簡単な構成である。また、前述の通り、第１〜第３係止部は、１又は複数の熱交換器を備えるいずれの冷凍装置ユニットにおいても、ファンモータ台を熱交換器に係止することができる。よって、上記構成によれば、簡単な構成で、熱交換器の設置数に応じて熱交換器を挟持可能なファンモータ台を提供することができる。
【００１０】
本発明の第２観点に係るファンモータ台は、１又は複数の熱交換器が設置される冷凍装置ユニットにおいて、駆動モータを支持するファンモータ台である。
【００１１】
ファンモータ台は、モータ保持部と、接触部と、を備える。モータ保持部は、駆動モータが固定される。接触部は、熱交換器に接触する。
【００１２】
接触部は、第１係止部と、第２係止部と、を含む。第１係止部は、１の熱交換器が設置される場合に折り曲げられて、１の熱交換器のファンモータ台側の前面に係止する。第２係止部は、２つの熱交換器が設置される場合に折り曲げられて、２つの熱交換器のうちファンモータ台に隣接する熱交換器のファンモータ台側の前面に係止する。
【００１３】
上記ファンモータ台は、第１観点に係るファンモータ台と同様の効果を奏する。具体的には、ファンモータ台には、熱交換器の設置数に応じた第１、第２係止部が予め形成されている。そして、各係止部は、折り曲げによって形成される一面からなる簡単な構成である。第１及び第２係止部は、１又は２つの熱交換器を備えるいずれの冷凍装置ユニットにおいても、ファンモータ台を対応する熱交換器に係止することができる。よって、上記構成によれば、簡単な構成で、熱交換器の設置数に応じて熱交換器を挟持可能なファンモータ台を提供することができる。
【００１４】
本発明の第３観点に係るファンモータ台は、第１又は第２観点に係るファンモータ台において、接触部は各係止部に対応する各スリットを有している。各スリットに囲まれた部分により各係止部が形成されている。
【００１５】
上記の通り、各係止部はスリットにより形成できるため、係止部の製造が容易である。
【００１６】
本発明の第４観点に係るファンモータ台は、第３観点に係るファンモータ台において、スリットは底部を有するＵ字状である。Ｕ字状の底部の長さが所定長さ以上を有する。
【００１７】
この場合、スリットの周縁により囲まれる係止部は概ね矩形状である。よって、折り曲げられた係止部の矩形状の面と、熱交換器の前面との接触面積を大きくできる。これにより、係止部を介して、ファンモータ台を熱交換器に容易に係止することができる。
【００１８】
本発明の第５観点に係るファンモータ台は、第３観点に係るファンモータ台において、複数のスリットは、互いに離隔するように形成されている。
【００１９】
スリットどうしが離隔しているため、係止部を折り曲げた際に、係止部のちぎれや折れを抑制することができる。
【００２０】
本発明の第６観点に係るファンモータ台は、第５観点に係るファンモータ台において、複数のスリットは、ファンモータ台に隣接する側（前板側）から熱交換器の背面側に向かって順に配置されている。また、ファンモータ台に隣接する側（前板側）から熱交換器の背面側に向かって、係止部が折り曲げられる折り曲げ部の延びる方向の長さが順に大きくなる。
【００２１】
これにより、隣接するスリットどうしが互いに離隔される。よって、係止部を折り曲げた際に、係止部のちぎれや折れを抑制することができる。
【００２２】
本発明の第７観点に係るファンモータ台は、第１又は第２観点に係るファンモータ台において、天板に隣接する天板対向部をさらに備える。接触部は、天板対向部に対して一段下がった位置において天板対向部に接続されている。
【００２３】
上記ファンモータ台は天板に隣接する天板対向部を備えている。天板対向部は天板に加わった荷重を支持する。接触部は、天板対向部よりも一段下がった位置に形成されている。この接触部に、ファンモータ台を熱交換器に係止する各係止部が形成される。そのため、天板対向部に加わった力が熱交換器に伝わることを抑制することができる。
【００２４】
本発明の第８観点に係るファンモータ台は、第１又は第２観点に係るファンモータ台において、接触部は背面係止部をさらに含む。背面係止部は、熱交換器の前面とは反対側の背面を係止する。
【００２５】
上記の背面係止部は、熱交換器の背面を係止する。一方、第１〜第３係止部は、対応する熱交換器の前面を係止する。よって、背面係止部と、第１〜第３係止部のいずれかとによって、熱交換器の前面及び背面を挟持することができる。これにより、ファンモータ台を熱交換器に係止することができる。
【発明の効果】
【００２６】
本発明の第１及び第２観点に係るファンモータ台では、簡単な構成で、熱交換器の設置数に応じて熱交換器を挟持可能なファンモータ台を提供することができる。
【００２７】
本発明の第３観点に係るファンモータ台では、係止部の製造が容易である。
【００２８】
本発明の第４観点に係るファンモータ台では、係止部を介して、ファンモータ台を熱交換器に容易に係止することができる。
【００２９】
本発明の第５及び第６観点に係るファンモータ台では、係止部のちぎれや折れを抑制することができる。
【００３０】
本発明の第７観点に係るファンモータ台では、天板対向部に加わった力が熱交換器に伝わることを抑制することができる。
【００３１】
本発明の第８観点に係るファンモータ台では、背面係止部と、第１〜第３係止部のいずれかとによって、熱交換器の前面及び背面を挟持することができる。
【図面の簡単な説明】
【００３２】
【図１】本発明の実施形態に係る空気調和装置１０００の外観図である。
【図２】前板１１及び右側板１２が外された室外ユニット１００の正面図である。
【図３】前板１１、右側板１２及び天板１３が外された室外ユニット１００の正面図である。
【図４】駆動モータ１６を介してファン１５が取り付けられたファンモータ台２０の側面図である。
【図５】ファンモータ台２０の全体斜視図である。
【図６】接触部２４を斜め上方から見た斜視図である。
【図７】各係止部の関係を示す説明図である。
【図８】接触部２４が室外熱交換器３０に係止している様子を示す斜視図である。
【図９】接触部２４を斜め下方から見た斜視図である。
【図１０】第１係止部１４１が折り曲げられた接触部２４の斜視図である。
【図１１】第２係止部１４２が折り曲げられた接触部２４の斜視図である。
【図１２】第３係止部１４３が折り曲げられた接触部２４の斜視図である。
【図１３】台形状の第１、第２及び第３係止部１４１、１４２及び１４３を有する接触部２４の斜視図である。
【図１４】変形例に係る係止部を有する接触部２４の斜視図である。
【図１５】変形例に係る係止部を有する接触部２４の斜視図である。
【図１６】変形例に係る係止部を有する接触部２４の斜視図である。
【図１７】変形例に係る係止部を有する接触部２４の斜視図である。
【図１８】変形例に係る係止部を有する接触部２４の斜視図である。
【発明を実施するための形態】
【００３３】
以下、図面を参照しながら、本発明の実施形態について説明する。なお、以下の実施形態は、本発明の具体例であって、本発明の技術的範囲を限定するものではない。
【００３４】
＜実施形態＞
以下では、冷凍装置ユニットの一例である室外ユニットを例に挙げて本実施形態を説明する。なお、冷凍装置ユニットは、室外ユニットの他、給湯器などの熱交換を行うあらゆる装置を含む。
【００３５】
（１）室外ユニット１００の全体構成
まず、空気調和装置１０００に含まれる室外ユニット１００の全体構成について説明する。
【００３６】
図１は、本発明の実施形態に係る空気調和装置１０００の外観図である。図２は、前板１１及び右側板１２が外された室外ユニット１００の正面図である。図３は前板１１、右側板１２及び天板１３が外された室外ユニット１００の正面図である。図４は、駆動モータ１６を介してファン１５が取り付けられたファンモータ台２０の側面図である。
【００３７】
尚、以下の説明においては、「上」、「下」、「左」、「右」、「正面」、「前」、「背面」、「後」等の方向を示す表現を適宜用いている。これらの方向は、図１等に示すように室外ユニット１００の天板１３が見えるように室外に取り付けられ、通常使用される状態での各方向を表す。「正面」と「前」とは同方向である。また、「背面」と「後」とは同方向である。
【００３８】
図１の空気調和装置１０００は、室外ユニット１００と、室内ユニット２００とに分かれて構成されている。室内ユニット２００は、空気調和を行う対象空間である室内の壁面等に取り付けられている。一方、室外ユニット１００は、室内の外部に設置されるものである。室外ユニット１００は、冷媒連絡配管３００を介して室内ユニット２００と接続されている。以下に、室外ユニット１００について説明する。
【００３９】
（１−１）室外ユニット１００の外側面
室外ユニット１００は、図１〜図３に示すように、外側面を形成する、前板１１、右側板１２、天板１３及び底板１４を有する。
【００４０】
天板１３は、室外ユニット１００の上面に配置され、室外ユニット１００の内部空間の上面を覆う。天板１３は板金で形成されている。
【００４１】
前板１１は、室外ユニット１００の前面に設けられている。前板１１は、例えばポリプロピレンなどの樹脂から形成されている。前板１１には、複数のスリット状の吹出し孔１１ａが設けられている。ファン１５（図４）の回転により室外ユニット１００の内部空間に取り込まれた空気流は、吹出し孔１１ａを通って室外ユニット１００の外部へ排出される。
【００４２】
右側板１２は、室外ユニット１００の内部空間の右側を覆い、板金で形成されている。
【００４３】
底板１４は、室外ユニット１００の下面に配置され、室外ユニット１００の内部空間の下方を覆う。底板１４は板金で形成されている。
【００４４】
（１−２）室外ユニット１００の内部空間
室外ユニット１００の内部空間には、ファン１５（図４）、駆動モータ１６、仕切板１８、ファンモータ台２０、室外熱交換器３０、圧縮機４０及び電装品箱５０等が配置されている。
【００４５】
仕切板１８は、底板１４に対して垂直に設けられている。仕切板１８は、室外ユニット１００の内部空間を機械室Ｓ１と送風機室Ｓ２とに仕切る。機械室Ｓ１は、室外ユニット１００の正面視において仕切板１８の右側に配置される。送風機室Ｓ２は、室外ユニット１００の正面視において仕切板１８の左側に配置される。機械室Ｓ１には、図２、図３に示すように、圧縮機４０及び電装品箱５０などの風雨から保護する必要のある機械部品の多くが収容される。送風機室Ｓ２は、室外ユニット１００の外部から取り込まれた空気が、室外熱交換器３０を通って室外へと排出される空間である。
【００４６】
ファンモータ台２０は、送風機室Ｓ２に配置されている。より具体的には、ファンモータ台２０は、送風機室Ｓ２のうち室外熱交換器３０の前方、すなわち空気流れの下流側に位置している。また、ファンモータ台２０は、正面視において、送風機室Ｓ２の略中央に配置されている。ファンモータ台２０は、底板１４から天板１３に至るまで延びている。ファンモータ台２０の中央部１０５には、モータ保持部２２が設けられている。モータ保持部２２には、駆動モータ１６が取り付けられる。ファンモータ台２０の詳細については後述する。
【００４７】
駆動モータ１６はファン１５を回転させるための駆動部である。図２，図３に示すように駆動モータ１６は、ファンモータ台２０のモータ保持部２２に取り付けられている。図４に示すように、駆動モータ１６の中心には、前後方向に平行な回転軸１６ａが設けられている。この回転軸１６ａにファン１５が固定される。駆動モータ１６は、所定の回転数で回転軸１６ａを回転させる。これによりファン１５が所定の回転数で回転する。
【００４８】
ファン１５は、例えば複数のファン翼１５ａを有するプロペラファンである。ファン１５は、駆動モータ１６の回転軸１６ａに固定されている。駆動モータ１６が駆動することで、ファン１５は回転軸１６ａを中心に回転駆動される。このファン１５の回転駆動により空気流が生成される。この空気流によって、室外ユニット１００周囲の空気が、室外ユニット１００の背面側から取り込まれ、室外熱交換器３０を通って送風機室Ｓ２へと取り込まれる。送風機室Ｓ２へと取り込まれた空気は、その後、前板の吹出し孔１１ａ等を通って、室外ユニット１００の外部へと排出される。
【００４９】
室外熱交換器３０は、通過する空気との間で熱交換を行う。室外熱交換器３０は、送風機室Ｓ２の外側面に沿って配置されている。より具体的には、室外熱交換器３０は、略Ｌ字形状の形状をなしており、室外ユニット１００の背面に沿う部分と、背面に沿う部分から左側に屈曲して延在する部分と、を有する。
【００５０】
圧縮機４０は、機械室Ｓ１に配置されており底板１４に固定される。圧縮機４０は、冷媒を圧縮するためのものであって、圧縮機モータ（図示せず）によって駆動される。
【００５１】
電装品箱５０は、機械室Ｓ１の上部に、仕切板１８に取り付けられて配置される。電装品箱５０には、各種装置の制御を行うためのマイクロコンピュータチップや制御プログラムを格納するメモリなどの電子部品が内装されている。
【００５２】
（２）ファンモータ台２０の詳細構成
次に、ファンモータ台２０の詳細構成について説明する。
【００５３】
図５は、ファンモータ台２０の全体斜視図である。図６は、接触部２４を斜め上方から見た斜視図である。図７は、各係止部の関係を示す説明図である。図８は、接触部２４が室外熱交換器３０に係止している様子を示す斜視図である。図９は、接触部２４を斜め下方から見た斜視図である。図１０は、第１係止部１４１が折り曲げられた接触部２４の斜視図である。図１１は、第２係止部１４２が折り曲げられた接触部２４の斜視図である。図１２は、第３係止部１４３が折り曲げられた接触部２４の斜視図である。
【００５４】
ファンモータ台２０は、支持部２１と、モータ保持部２２と、天板対向部２３と、接触部２４と、前延長部２５と、底板対向部２６と、段差面部２７と、を含む。
【００５５】
（２−１）支持部２１
図２、図３に示すように、支持部２１は、室外ユニット１００の底板１４から天板１３に向かって延びる。支持部２１は、第１支持部２１ａ及び第２支持部２１ｂを含む。第１支持部２１ａ及び第２支持部２１ｂは、ファンモータ台２０の上下方向の中央部１０５においてモータ保持部２２の両側を支持する。具体的には、第１支持部２１ａは、ファンモータ台２０の正面視において、モータ保持部２２の右側に配置されている。一方、第２支持部２１ｂは、ファンモータ台２０の正面視において、モータ保持部２２の左側に配置されている。そして、第１支持部２１ａ及び第２支持部２１ｂの上下方向の中央部１０５がモータ保持部２２の左右両端に接続される。
【００５６】
図５に示すように、第１支持部２１ａ及び第２支持部２１ｂの底板１４側は、底板対向部２６に接続されている。第１支持部２１ａ及び第２支持部２１ｂの天板１３側は、天板対向部２３に接続されている。
【００５７】
上記構成により、第１支持部２１ａ及び第２支持部２１ｂの上下方向の中央部１０５は、モータ保持部２２を介して接続される。また、第１支持部２１ａ及び第２支持部２１ｂの下端及び上端は、それぞれ底板対向部２６及び天板対向部２３に接続される。これにより、第１支持部２１ａと第２支持部２１ｂとは、その下端、中央部１０５及び上端において互いに安定的に接続される。
【００５８】
第１支持部２１ａと第２支持部２１ｂとは、図３に示すように、ファンモータ台２０の上下方向の中心線Ａ−Ａを中心として対称に形成されている。よって、以下の支持部２１の説明では、第１支持部２１ａを中心として説明し、第２支持部２１ｂの説明は適宜省略する。
【００５９】
図５に示すように、第１支持部２１ａは、第１平面２１ａ−１及び第２平面２１ａ−２を含む。第１平面２１ａ−１と第２平面２１ａ−２とは、概ねＬ字状をなすように接続されている。第２平面２１ａ−２は、室外ユニット１００の正面視において前側の面である。第２平面２１ａ−２は、前板１１の面に沿っている。第１平面２１ａ−１は、第２平面２１ａ−２から連続して折り曲げられることで形成されている。具体的には、第１平面２１ａ−１は、第２平面２１ａ−２に対して後側に折り曲げられた面であり、第２平面２１ａ−２に概ね直交する面である。第２平面２１ａ−２の上下方向の中央部１０５は、モータ保持部２２に接続されている。
【００６０】
前述の通り、第１平面２１ａ−１と第２平面２１ａ−２とは、互いに折り曲げられることで概ねＬ字状をなしている。よって、Ｌ字状の角部において、第１平面２１ａ−１の上下方向に延びる辺と第２平面２１ａ−２の上下方向に延びる一辺とは一体に接続されている。そして、第１平面２１ａ−１において、第２平面２１ａ−２と接続される辺に対向する辺は自由端である。よって、第２平面２１ａ−２の自由端は、第２平面２１ａ−２が上下方向に延びるのに沿って上下方向に延びている。
【００６１】
一方、第２平面２１ａ−２において、第１平面２１ａ−１と接続される辺に対向する辺には、図５に示すように、第１内側端面１２１ａ及び第２内側端面１２１ｂが接続されている。第１内側端面１２１ａ及び第２内側端面１２１ｂは、第２平面２１ａ−２から後側に折り曲げられた面である。第１内側端面１２１ａ及び第２内側端面１２１ｂは、第１平面２１ａ−１に概ね平行に対向する。よって、第１支持部２１ａは、第１内側端面１２１ａ及び第２内側端面１２１ｂと、第２平面２１ａ−２と、第１平面２１ａ−１とによって、一辺が開口した矩形状の形状を有している。つまり、第１支持部２１ａは、中央部１０５を除いて、背面側が開口した概ねコの字状の形状を有している。
【００６２】
なお、第１内側端面１２１ａ及び第２内側端面１２１ｂは、図５に示すように、第１空間６１ａ及び第２空間６１ｂに面して形成される面である。ここで、第１空間６１ａ及び第２空間６１ｂは、第１支持部２１ａ、第２支持部２１ｂ、モータ保持部２２、底板対向部２６及び天板対向部２３に囲まれた領域である。第１空間６１ａはモータ保持部２２に対して上方の空間であり、第２空間６１ｂはモータ保持部２２に対して下方の空間である。第１空間６１ａに面して第１内側端面１２１ａが設けられている。また、第２空間６１ｂに面して第２内側端面１２１ｂが設けられている。
【００６３】
図４、図５に示すように、第１支持部２１ａは、モータ保持部２２が前側に突出するように折り曲げられている。具体的には、第１支持部２１ａの上下方向の中央部１０５が、上端部１０１ａ及び下端部１０１ｂよりも前側に隆起している。そのため、上端部１０１ａと中央部１０５とを接続する上傾斜部１０３ａは、上方から下方に向かって前側に傾斜している。また、下端部１０１ｂと中央部１０５とを接続する下傾斜部１０３ｂは、下方から上方に向かって前側に傾斜している。なお、中央部１０５、上端部１０１ａ及び下端部１０１ｂは概ね鉛直方向、つまり上下方向に延びている。また、中央部１０５はモータ保持部２２に対応する部分である。よって、第１支持部２１ａは、中央部１０５においてモータ保持部２２と接続されている。第１支持部２１ａの中央部１０５が上端部１０１ａ及び下端部１０１ｂよりも前側に突出しているため、ファン１５が前側に突出するように取り付けられる。ここで、ファン１５による送風性能を向上するため、ファン１５のファン翼１５ａの奥行きが大きく形成される。つまり、ファン翼１５ａは、室外ユニット１００の背面側に向かって延びるように形成される。上記の構成によれば、ファン１５が前側に突出するようにファンモータ台２０に取り付けられるため、ファンモータ台２０とファン翼１５ａとの接触を回避することができる。
【００６４】
また、図５に示すように、第１支持部２１ａの第２平面２１ａ−２には、天板１３から底板１４に向かって延びる支持膨出部１３１を有していてもよい。支持膨出部１３１は、例えば、第２平面２１ａ−２の底面から盛り上がるように膨らんだ部分である。同様に、第２支持部２１ｂの第２平面にも同様に支持膨出部が設けられていてもよい。支持膨出部１３１によって、支持部２１の強度を高めることができる。
【００６５】
（２−２）モータ保持部２２
図２、図３、図５に示すように、モータ保持部２２は、概ね平板状であり、その平面は前板１１の面と概ね平行である。モータ保持部２２は、ファンモータ台２０の上下方向の概ね中央部１０５に設けられている。そして、モータ保持部２２は、支持部２１に挟み込まれるように、支持部２１の上下方向の中央部１０５に設けられている。そして、モータ保持部２２は、第１支持部２１ａの左側と第２支持部２１ｂの右側との間に位置するように、第１支持部２１ａ及び第２支持部２１ｂに接続されている。このとき、第１支持部２１ａの第２平面２１ａ−２に連続するようにモータ保持部２２が接続されている。特に、モータ保持部２２は、第１支持部２１ａの中央部１０５において、第２平面２１ａ−２と接続されている。同様に、モータ保持部２２は、第２支持部２１ｂの中央部１０５において、第２平面と接続されている。
【００６６】
モータ保持部２２は、その平面の中央部にモータ挿入孔２２ａが設けられている。モータ挿入孔２２ａは、駆動モータ１６に対応した形状を有している。例えば、モータ挿入孔２２ａは概ね円形状を有している。
【００６７】
（２−３）天板対向部２３、段差面部２７
図５に示すように、支持部２１の上方には、天板対向部２３が設けられている。より具体的には、天板対向部２３は、第１支持部２１ａの上端と第２支持部２１ｂの上端とを接続するように、第１支持部２１ａ及び第２支持部２１ｂ上に設けられている。
【００６８】
天板対向部２３は、天板１３と対向する部分である。また、天板対向部２３は、ファンモータ台２０を構成する部材のうち、最も天板１３に近接又は接触する部材の一つである。天板対向部２３は概ね平板状である。
【００６９】
天板対向部２３は、例えば、支持部２１に対して概ね９０°で折り曲げられるように形成される。
【００７０】
段差面部２７は、図６、図８、図９等に示すように、天板対向部２３から接触部２４に向かって傾斜する平面である。接触部２４は、天板対向部２３の背面、つまり室外熱交換器３０側において、段差面部２７を介して天板対向部２３に接続されている。
【００７１】
なお、図５，図６、図８等に示すように、天板対向部２３の平面は、天板膨出部１３３を有していてもよい。天板膨出部１３３は、天板対向部２３の底面から盛り上がるように膨らんだ部分である。天板膨出部１３３は、例えば天板対向部２３の概ね全面に亘って形成されている。例えば、天板膨出部１３３は、第１支持部２１ａ側においては、第１支持部２１ａの第２平面２１ａ−２の端部上から天板対向部２３上に連続して延びるように形成されている。同様に、天板膨出部１３３は、第２支持部２１ｂ側においても、第２支持部２１ｂの端部上から天板対向部２３上に連続して延びるように形成されている。天板対向部２３のうち、第１支持部２１ａと第２支持部２１ｂとの間においては、天板膨出部１３３が連続的に延びるように形成されている。つまり、天板膨出部１３３は、第１支持部２１ａ側の天板膨出部１３３から第２支持部２１ｂ側の天板膨出部１３３にかけて延びている。また、天板膨出部１３３は、天板対向部２３上から段差面部２７を経由して接触部２４上にかけても延びるように形成されている。さらに、天板対向部２３の天板膨出部１３３は、後述の前延長部２５の前延長膨出部１３５と連結されている。このような天板膨出部１３３によって、天板対向部２３の強度を高めることができる。また、天板１３に荷重が掛かった場合、天板１３はまず天板対向部２３の天板膨出部１３３と接触する。天板膨出部１３３は天板１３からの荷重を分散するため、天板１３の変形を抑制することができる。
【００７２】
（２−４）接触部２４
接触部２４は、室外熱交換器３０の上端面及び側面と接触して係止する部材である。接触部２４は、段差面部２７を介して天板対向部２３に接続されている。また、接触部２４は、天板対向部２３から背面側、つまり室外熱交換器３０に向かって延びる部材である。
【００７３】
図６等に示すように、接触部２４には、第１係止部１４１、第２係止部１４２及び第３係止部１４３が設けられている。本実施形態のファンモータ台２０は、１台、２台又は３台の室外熱交換器３０が設置されるいずれの場合でも、室外熱交換器３０に係止する。なお、室外熱交換器３０は、背面側から順に１台目、２台目、３台目となるように順に配置される。
【００７４】
１台の室外熱交換器３０が設置される場合には、図１０に示すように第１係止部１４１が下側に折り曲げられる。第１係止部１４１は、当該室外熱交換器３０の前面に係止する。
【００７５】
また、２台の室外熱交換器３０が設置される場合には、図１１に示すように第２係止部１４２が下側に折り曲げられる。第２係止部１４２は、ファンモータ台２０に最も隣接する室外熱交換器３０、つまり背面側から２つ目の室外熱交換器３０の前面に係止する。図８では、室外熱交換器３０は、２台の第１室外熱交換器３１及び第２室外熱交換器３２を含む。図８に示すように、第２係止部１４２が下側に折り曲げられる。第２係止部１４２は、第２室外熱交換器３２の前面に係止する。
【００７６】
また、３台の室外熱交換器３０が設置される場合には、図１２に示すように第３係止部１４３が下側に折り曲げられる。第３係止部１４３は、ファンモータ台２０に最も隣接する室外熱交換器３０、つまり背面側から３つ目の室外熱交換器３０の前面に係止する。
【００７７】
さらに、接触部２４には、図９に示すように背面係止部１４４が設けられている。背面係止部１４４は、室外熱交換器３０の背面を係止する部材である。背面係止部１４４は、室外ユニット１００の背面側に沿う第１面１４４ａ、つまり、室外熱交換器３０の背面に沿う第１面１４４ａを有する。また、背面係止部１４４は、第１面１４４ａから外側方向に折り曲げられた第２面１４４ｂを有していてもよい。背面係止部１４４は、例えば、接触部２４のうち、室外熱交換器３０の背面側の端部を折り曲げることで形成される。第１、第２及び第３係止部１４１、１４２及び１４３は、前述の通り、対応する室外熱交換器３０の前面に係止する。背面係止部１４４と、第１、第２及び第３係止部１４１、１４２及び１４３のいずれかとによって、室外熱交換器３０の前面及び背面を挟持することができる。これにより、ファンモータ台２０を室外熱交換器３０に係止することができる。
【００７８】
以上のように、ファンモータ台２０には、室外熱交換器３０の設置数に応じた複数の第１、第２及び第３係止部１４１、１４２及び１４３が予め形成されている。そして、各第１、第２及び第３係止部１４１、１４２及び１４３は、折り曲げによって形成される一面からなる簡単な構成である。また、前述の通り、第１、第２及び第３係止部１４１、１４２及び１４３は、１又は複数の室外熱交換器３０を備えるいずれの冷凍装置ユニットにおいても、ファンモータ台２０を室外熱交換器３０に係止することができる。よって、上記構成によれば、簡単な構成で、室外熱交換器３０の設置数に応じて室外熱交換器３０を挟持可能なファンモータ台２０を提供することができる。
【００７９】
以下に、第１係止部１４１、第２係止部１４２及び第３係止部１４３について具体的に説明する。
【００８０】
図６、図７に示すように、接触部２４は、第１係止部１４１、第２係止部１４２及び第３係止部１４３を有する。第１係止部１４１、第２係止部１４２及び第３係止部１４３に対応して、それぞれ第１スリット１５１、第２スリット１５２及び第３スリット１５３が形成されている。第１スリット１５１により囲まれた部分により第１係止部１４１が形成されている。第２スリット１５２により囲まれた部分により第２係止部１４２が形成されている。第３スリット１５３により囲まれた部分により第３係止部１４３が形成されている。
【００８１】
第１、第２及び第３係止部１４１、１４２及び１４３は、折り曲げられる折り曲げ部１４１ａ、１４２ａ及び１４３ａと、自由端部１４１ｂ、１４２ｂ及び１４３ｂと、を有する。折り曲げ部１４１ａ、１４２ａ及び１４３ａは、図６、図７の破線部分である。自由端部１４１ｂ、１４２ｂ及び１４３ｂは、第１、第２及び第３スリット１５１、１５２及び１５３の周縁により形成される。つまり、第１、第２及び第３スリット１５１、１５２及び１５３は、折り曲げ部１４１ａ、１４２ａ及び１４３ａの両端から延び、自由端部１４１ｂ、１４２ｂ及び１４３ｂを形成する。なお、本実施形態では、第１、第２及び第３スリット１５１、１５２及び１５３は、中心線Ｂ−Ｂを中心として対称に形成されている。中心線Ｂ−Ｂは、室外ユニット１００の背面が延びる方向の接触部２４の中心において、室外ユニット１００の背面が延びる方向に概ね直交する。よって、第１、第２及び第３係止部１４１、１４２及び１４３もまた、中心線Ｂ−Ｂに対して対称である。前述のように第１、第２及び第３係止部１４１、１４２及び１４３は第１、第２及び第３スリット１５１、１５２及び１５３により形成できるため、第１、第２及び第３係止部１４１、１４２及び１４３の製造が容易である。第１、第２及び第３スリット１５１、１５２及び１５３は、鋼板を所定の形状に切り抜くだけで形成できるからである。
【００８２】
また、第１、第２及び第３スリット１５１、１５２及び１５３は中心線Ｂ−Ｂを中心として対称であるため、ファンモータ台２０を室外熱交換器３０に安定的に係止することができる。つまり、第１、第２及び第３係止部１４１、１４２及び１４３は、中心線Ｂ−Ｂに対して対称である。よって、ファンモータ台２０を室外熱交換器３０に係止した場合、室外ユニット１００の背面が延びる左右方向におけるファンモータ台２０のがたつきを抑制することができる。これは、ファンモータ台２０の左右方向の重量を概ね均衡にして、室外熱交換器３０にファンモータ台２０を係止できるからである。
【００８３】
ここで、第１、第２及び第３スリット１５１、１５２及び１５３は底部を有するＵ字状である。Ｕ字状の底部の長さは所定長さ以上を有する。よって、第１、第２及び第３スリット１５１、１５２及び１５３の周縁により囲まれる第１、第２及び第３係止部１４１、１４２及び１４３は、概ね矩形状である。つまり、折り曲げ部１４１ａ、１４２ａ及び１４３ａと自由端部１４１ｂ、１４２ｂ及び１４３ｂとにより囲まれる第１、第２及び第３係止部１４１、１４２及び１４３は、概ね矩形状である。なお、本実施形態では、第１、第２及び第３係止部１４１、１４２及び１４３は概ね長方形状である。よって、折り曲げられた第１、第２及び第３係止部１４１、１４２及び１４３の矩形状の面と、室外熱交換器３０の前面との接触面積を大きくできる。そのため、第１、第２及び第３係止部１４１、１４２及び１４３の矩形状の面を、室外熱交換器３０の面に沿って安定的に係止できる。
【００８４】
これにより、第１、第２及び第３係止部１４１、１４２及び１４３を介して、ファンモータ台２０を室外熱交換器３０に容易に係止することができる。
【００８５】
次に、第１、第２及び第３係止部１４１、１４２及び１４３それぞれについて具体的に説明する。
【００８６】
第１係止部１４１は、折り曲げ部１４１ａと自由端部１４１ｂとを有する。第１係止部１４１は、折り曲げ部１４１ａと自由端部１４１ｂとにより囲まれる部分により形成される。第１スリット１５１は、折り曲げ部１４１ａ両端から延び、自由端部１４１ｂを形成する。第１スリット１５１は、第１開口１５１ａ、第２開口１５１ｂ及び第３開口１５１ｃを有する。第２開口１５１ｂは、室外ユニット１００の上面視において、その背面に沿う方向（左右方向）に概ね延びている。言い換えれば、室外ユニット１００の上面視において、室外ユニット１００の背面側の室外熱交換器３０が延びる方向に概ね沿っている。よって、第２開口１５１ｂは、概ね直線状に延びている。第２開口１５１ｂの両端部には、それぞれ第１開口１５１ａ及び第３開口１５１ｃが連続して形成されている。つまり、第１開口１５１ａは、第２開口１５１ｂの一端部から連続して形成されている。第１開口１５１ａは、第２開口１５１ｂの延びる方向に概ね直交するように室外ユニット１００の前面側に延びている。また、第３開口１５１ｃは、第２開口１５１ｂの他端部から連続して形成されている。第３開口１５１ｃは、第２開口１５１ｂの延びる方向に概ね直交するように室外ユニット１００の前面側に延びている。よって、第１スリット１５１は、４辺を有する矩形において１辺が除去された形状を有する。言い換えれば、第１スリット１５１は、概ねＵ字状の形状を有する。
【００８７】
第２係止部１４２は、折り曲げ部１４２ａと自由端部１４２ｂとを有する。第２係止部１４２は、折り曲げ部１４２ａと自由端部１４２ｂとにより囲まれる部分により形成される。第２スリット１５２は、折り曲げ部１４２ａ両端から延び、自由端部１４２ｂを形成する。第２スリット１５２は、第１開口１５２ａ、第２開口１５２ｂ及び第３開口１５２ｃを有する。第２開口１５２ｂは、概ね第１係止部１４１の第２開口１５１ｂと同方向に延びている。第１開口１５２ａは、第２開口１５２ｂの一端部から連続して形成されている。第１開口１５２ａは、第２開口１５２ｂの延びる方向に概ね直交するように室外ユニット１００の前面側に延びている。また、第３開口１５２ｃは、第２開口１５２ｂの他端部から連続して形成されている。第３開口１５２ｃは、第２開口１５２ｂの延びる方向に概ね直交するように室外ユニット１００の前面側に延びている。よって、第２スリット１５２は、第１スリット１５１と同様に概ねＵ字状の形状を有する。
【００８８】
第３係止部１４３は、折り曲げ部１４３ａと自由端部１４３ｂとを有する。第３係止部１４３は、折り曲げ部１４３ａと自由端部１４３ｂとにより囲まれる部分により形成される。第３スリット１５３は、折り曲げ部１４３ａ両端から延び、自由端部１４３ｂを形成する。第３スリット１５３は、第１開口１５３ａ、第２開口１５３ｂ及び第３開口１５３ｃを有する。第２開口１５３ｂは、概ね第１係止部１４１の第２開口１５１ｂと同方向に延びている。第１開口１５３ａは、第２開口１５３ｂの一端部から連続して形成されている。第１開口１５３ａは、第２開口１５３ｂの延びる方向に概ね直交するように室外ユニット１００の前面側に延びている。また、第３開口１５３ｃは、第２開口１５３ｂの他端部から連続して形成されている。第３開口１５３ｃは、第２開口１５３ｂの延びる方向に概ね直交するように室外ユニット１００の前面側に延びている。よって、第３スリット１５３は、第１スリット１５１と同様に概ねＵ字状の形状を有する。
【００８９】
また、第１、第２及び第３スリット１５１、１５２及び１５３は、互いに離隔するように形成されている。図６、図７では、第１、第２及び第３スリット１５１、１５２及び１５３は、ファンモータ台２０に隣接する側（前板１１側）から室外熱交換器３０の背面側に向かって、第３スリット１５３、第２スリット１５２及び第１スリット１５１の順に配置されている。さらに、ファンモータ台２０に隣接する側（前板１１側）から室外熱交換器３０の背面側に向かって、折り曲げ部１４３ａ、折り曲げ部１４２ａ及び折り曲げ部１４１ａの順にその延びる方向の長さが順に大きくなる。つまり、折り曲げ部１４３ａの延びる方向の長さＬ３、折り曲げ部１４２ａの延びる方向の長さＬ２、折り曲げ部１４１ａの延びる方向の長さＬ１は、Ｌ３＜Ｌ２＜Ｌ１の関係となる。なお、本実施形態では、第１、第２及び第３係止部１４１、１４２及び１４３は概ね長方形状である。よって、第２開口１５１ｂ、１５２ｂ及び１５３ｂそれぞれの延びる方向の長さは、折り曲げ部１４１ａ、１４２ａ及び１４３ａの長さＬ１、Ｌ２及びＬ３と概ね同一である。よって、第２開口１５３ｂの延びる方向の長さ＜第２開口１５２ｂの延びる方向の長さ＜及び第２開口１５１ｂの延びる方向の長さとなる。
【００９０】
より具体的には、第１、第２及び第３スリット１５１、１５２及び１５３は、図７に示すように互いに離隔する。ここで、第１スリット１５１の第１開口１５１ａの終端部と、第２スリット１５２の第２開口１５２ｂの一端部と、の距離はＤ１である。第１スリット１５１の第１開口１５１ａの終端部は、第２開口１５１ｂの一端部と接続されていない側の端部である。第２スリット１５２の第２開口１５２ｂの一端部は、第１開口１５２ａと接続されている側の端部である。また、第１スリット１５１の第３開口１５１ｃの終端部と、第２スリット１５２の第２開口１５２ｂの他端部と、の距離はＤ２である。第１スリット１５１の第３開口１５１ｃの終端部は、第２開口１５１ｂの他端部と接続されていない側の端部である。第２スリット１５２の第２開口１５２ｂの他端部は、第３開口１５２ｃと接続されている側の端部である。距離Ｄ１、Ｄ２は、所定長さ以上である。所定長さとは、第１スリット１５１と第２スリット１５２とが互いに離隔することで、第１係止部１４１のちぎれや折れを抑制できる長さである。なお、距離Ｄ１、Ｄ２は同じ長さであっても、異なる長さであってもよい。ただし、第１及び第２スリット１５１及び１５２が中心線Ｂ−Ｂに沿って対称に形成されているので、距離Ｄ１、Ｄ２は同じ長さであるのが好ましい。
【００９１】
また、第２スリット１５２の第１開口１５２ａの終端部と、第３スリット１５３の第２開口１５３ｂの一端部と、の距離はＤ３である。第２スリット１５２の第１開口１５２ａの終端部は、第２開口１５２ｂの一端部と接続されていない側の端部である。第３スリット１５３の第２開口１５３ｂの一端部は、第１開口１５３ａと接続されている側の端部である。また、第２スリット１５２の第３開口１５２ｃの終端部と、第３スリット１５３の第２開口１５３ｂの他端部と、の距離はＤ４である。第２スリット１５２の第３開口１５２ｃの終端部は、第２開口１５２ｂの他端部と接続されていない側の端部である。第３スリット１５３の第２開口１５３ｂの他端部は、第３開口１５３ｃと接続されている側の端部である。距離Ｄ３、Ｄ４は、所定長さ以上である。所定長さとは、第２スリット１５２と第３スリット１５３とが互いに離隔することで、第２係止部１４２のちぎれや折れを抑制できる長さである。なお、距離Ｄ３、Ｄ４は同じ長さであっても、異なる長さであってもよい。ただし、第２及び第３スリット１５２及び１５３が中心線Ｂ−Ｂに沿って対称に形成されているので、距離Ｄ３、Ｄ４は同じ長さであるのが好ましい。
【００９２】
上述のように、隣接する第１、第２及び第３スリット１５１、１５２及び１５３が互いに離隔するように配置される。第１、第２及び第３スリット１５１、１５２及び１５３どうしが離隔しているため、第１、第２及び第３係止部１４１、１４２及び１４３を折り曲げた際に、第１、第２及び第３係止部１４１、１４２及び１４３のちぎれや折れを抑制することができる。特に、図６、図７に示すように、第１、第２及び第３スリット１５１、１５２及び１５３は、第１スリット１５１、第２スリット１５２及び第３スリット１５３の順に大きくなるように形成されている。つまり、第１、第２及び第３スリット１５１、１５２及び１５３は、第２開口１５１ｂ、第２開口１５２ｂ及び第２開口１５３ｂの長さが順に大きくなるように形成されている。よって、第１、第２及び第３スリット１５１、１５２及び１５３の大きさが同程度の場合に比べて、距離Ｄ１、Ｄ２、Ｄ３、Ｄ４の長さが大きくなる。このような第１、第２及び第３係止部１４１、１４２及び１４３の配置によっても、第１、第２及び第３係止部１４１、１４２及び１４３のちぎれや折れを抑制することができる。
【００９３】
なお、図５、図６に示すように、接触部２４の上下方向の位置は、天板対向部２３の上下方向の位置よりも低い。つまり、接触部２４は、天板対向部２３に対して一段低い位置となるように、段差面部２７を介して天板対向部２３に接続されている。よって、天板対向部２３は接触部２４よりも天板１３に近い位置にある。天板１３に荷重が掛かった場合、天板対向部２３は天板１３に加わった荷重を支持する。接触部２４の高さは天板対向部２３よりも一段低いため、天板対向部２３に加わった力が接触部２４を介して室外熱交換器３０に伝わることを抑制できる。また、本実施形態では、天板対向部２３と接触部２４との境界の領域ではなく、接触部２４の一部を折り曲げることで第１、第２及び第３係止部１４１、１４２及び１４３が形成される。つまり、平面からなる接触部２４の一部を折り曲げることで第１、第２及び第３係止部１４１、１４２が形成される。よって、金型を接触部２４に押し当てて容易に第１、第２及び第３係止部１４１、１４２を形成することができる。
【００９４】
接触部２４には、前述の通り、天板膨出部１３３が天板対向部２３から延長して形成されている。これにより、天板対向部２３及び接触部２４の強度を高めることができる。
【００９５】
（２−５）前延長部２５
図５に示すように、前延長部２５は、天板対向部２３から前方、つまり前板１１側に向かって延びる平面である。前延長部２５は、第１支持部２１ａの上端と第２支持部２１ｂの上端との間において、天板対向部２３から延びている。
【００９６】
前延長部２５は、天板対向部２３と同様に天板１３と概ね平行に対向する平面である。また、前延長部２５は、ファンモータ台２０を構成する部材のうち、最も天板１３に近接又は接触する部材の一つである。前延長部２５は概ね平板状である。前延長部２５と天板対向部２３とは、概ね同一平面に位置している。
【００９７】
なお、前延長部２５の平面は、前延長膨出部１３５を有していてもよい。前延長膨出部１３５は、図５に示すように、前延長部２５の底面から盛り上がるように膨らんだ部分である。前延長膨出部１３５は、例えば前延長部２５の概ね全面に亘って形成されている。より具体的には、前延長膨出部１３５は、例えば、前延長部２５が延びる方向に沿って長く形成されている。図５の例では、２つの延びる前延長膨出部１３５が形成されている。前述の通り、前延長部２５の前延長膨出部１３５は、天板対向部２３の天板膨出部１３３と一連となるように接続されている。
【００９８】
（２−６）底板対向部２６
図５に示すように、支持部２１の下方には、底板対向部２６が設けられている。より具体的には、底板対向部２６は、第１支持部２１ａの下端と第２支持部２１ｂの下端とを接続するように、第１支持部２１ａ及び第２支持部２１ｂ下方に設けられている。
【００９９】
底板対向部２６は、底板１４と対向する部分である。また、底板対向部２６は、ファンモータ台２０を構成する部材のうち、最も底板１４に近接又は接触する部材である。
【０１００】
（２−７）ファンモータ台２０の一体構造
本実施形態では、ファンモータ台２０は、一枚の平板から、支持部２１、モータ保持部２２、天板対向部２３、接触部２４、前延長部２５及び底板対向部２６が一連一体に形成されている。
【０１０１】
例えば、ファンモータ台２０は、１枚の平板において、第１空間６１ａ、第２空間６１ｂ及びモータ挿入孔２２ａ等不要な部分を取り除く。このとき、前延長部２５に対応する部分が残るように第１空間６１ａに対応する部分が取り除かれる。その後、各部材に折り曲げ加工が行われて、図５に示すファンモータ台２０が形成される。
【０１０２】
ファンモータ台２０において上記各部材が一連一体に形成されていると、各部材を互いに接続する工程を省略でき、製造工程を簡略化できる。また、各部材を接続するための部材も省略でき、ファンモータ台２０のコストアップを抑制できる。また、各部材の接続による脆弱性も抑制できる。
【０１０３】
また、上記実施形態では、膨出部１３１、１３３，１３５が、天板対向部２３、接触部２４及び前延長部２５において一連に接続されて形成されている。よって、天板対向部２３、接触部２４及び前延長部２５の強度を一体として高めることができる。
【０１０４】
（３）特徴
（３−１）
ファンモータ台２０は、１又は複数の室外熱交換器３０が設置される冷凍装置ユニットにおいて、駆動モータ１６を支持する。
【０１０５】
ファンモータ台２０は、モータ保持部２２と、接触部２４と、を備える。モータ保持部２２は、駆動モータ１６が固定される。接触部２４は、室外熱交換器３０に接触する。
【０１０６】
接触部２４は、第１係止部１４１と、第２係止部１４２と、第３係止部１４３と、を含む。第１係止部１４１は、１の室外熱交換器３０が設置される場合に折り曲げられて、１の室外熱交換器３０のファンモータ台２０側の前面に係止する。第２係止部１４２は、２つの室外熱交換器３０が設置される場合に折り曲げられて、２つの室外熱交換器３０のうちファンモータ台２０に隣接する室外熱交換器３０のファンモータ台２０側の前面に係止する。第３係止部１４３は、３つの室外熱交換器３０が設置される場合に折り曲げられて、３つの室外熱交換器３０のうちファンモータ台２０に隣接する室外熱交換器３０のファンモータ台２０側の前面に係止する。
【０１０７】
上記のファンモータ台２０によれば、冷凍装置ユニットにおいて１つの室外熱交換器３０が設置される場合、又は２以上の室外熱交換器３０が設置される場合のいずれにも対応可能なように、予め第１〜第３係止部１４１〜１４３が接触部２４に設けられている。第１係止部１４１は、１つの室外熱交換器３０が設置される場合において、その室外熱交換器３０に係止する。第２係止部１４２は、２つの室外熱交換器３０が設置される場合において、背面側から２つ目の室外熱交換器３０に係止する。第３係止部１４３は、３つの室外熱交換器３０が設置される場合において、背面側から３つ目の室外熱交換器３０に係止する。
【０１０８】
このように、ファンモータ台２０には、室外熱交換器３０の設置数に応じた第１〜第３係止部１４１〜１４３が予め形成されている。そして、各係止部１４１〜１４３は、折り曲げによって形成される一面からなる簡単な構成である。また、前述の通り、第１〜第３係止部１４１〜１４３は、１又は複数の室外熱交換器３０を備えるいずれの冷凍装置ユニットにおいても、ファンモータ台２０を室外熱交換器３０に係止することができる。よって、上記構成によれば、簡単な構成で、室外熱交換器３０の設置数に応じて室外熱交換器３０を挟持可能なファンモータ台２０を提供することができる。
【０１０９】
（３−２）
ファンモータ台２０は、１又は複数の室外熱交換器３０が設置される冷凍装置ユニットにおいて、駆動モータ１６を支持する。
【０１１０】
ファンモータ台２０は、モータ保持部２２と、接触部２４と、を備える。モータ保持部２２は、駆動モータ１６が固定される。接触部２４は、室外熱交換器３０に接触する。
【０１１１】
接触部２４は、第１係止部１４１と、第２係止部１４２と、を含む。第１係止部１４１は、１の室外熱交換器３０が設置される場合に折り曲げられて、１の室外熱交換器３０のファンモータ台２０側の前面に係止する。第２係止部１４２は、２つの室外熱交換器３０が設置される場合に折り曲げられて、２つの室外熱交換器３０のうちファンモータ台２０に隣接する室外熱交換器３０のファンモータ台２０側の前面に係止する。
【０１１２】
上記ファンモータ台２０は、第１〜第３係止部１４１〜１４３を有するファンモータ台２０と同様の効果を奏する。具体的には、ファンモータ台２０には、室外熱交換器３０の設置数に応じた第１、第２係止部１４２が予め形成されている。そして、第１、第２係止部１４１及び１４２は、折り曲げによって形成される一面からなる簡単な構成である。第１及び第２係止部１４１及び１４２は、１又は２つの室外熱交換器３０を備えるいずれの冷凍装置ユニットにおいても、ファンモータ台２０を対応する室外熱交換器３０に係止することができる。よって、上記構成によれば、簡単な構成で、室外熱交換器３０の設置数に応じて室外熱交換器３０を挟持可能なファンモータ台２０を提供することができる。
【０１１３】
（３−３）
接触部２４は第１〜第３係止部１４１〜１４３に対応する第１〜第３スリット１５１〜１５３を有している。第１〜第３スリット１５１〜１５３に囲まれた部分により第１〜第３係止部１４１〜１４３が形成されている。
【０１１４】
上記の通り、接触部２４は、第１〜第３係止部１４１〜１４３に対応する第１〜第３スリット１５１〜１５３を有している。第１〜第３係止部１４１〜１４３は、第１〜第３スリット１５１〜１５３に囲まれた部分により形成されている。第１〜第３係止部１４１〜１４３は、折り曲げられる折り曲げ部１４１ａ、１４２ａ、１４３ａと、スリットの周縁により形成される自由端部１４１ｂ、１４２ｂ及び１４３ｂと、を有する。より具体的には、第１〜第３スリット１５１〜１５３は、折り曲げ部１４１ａ、１４２ａ、１４３ａの両端から延び、自由端部１４１ｂ、１４２ｂ及び１４３ｂを形成する。よって、第１〜第３係止部１４１〜１４３は、折り曲げ部１４１ａ、１４２ａ、１４３ａと自由端部１４１ｂ、１４２ｂ及び１４３ｂとにより囲まれる部分により形成される。第１〜第３係止部１４１〜１４３は第１〜第３スリット１５１〜１５３により形成できるため、第１〜第３係止部１４１〜１４３の製造が容易である。
【０１１５】
なお、第１〜第３係止部１４１〜１４３の形状は、折り曲げ部１４１ａ、１４２ａ、１４３ａを折り曲げることで平面を形成することが出来ればよく、特に限定されない。例えば、第１〜第３係止部１４１〜１４３は、Ｕ字状、台形状及び三角形状などから形成され得る。
【０１１６】
（３−４）
第１〜第３スリット１５１〜１５３は底部を有するＵ字状である。Ｕ字状の底部の長さが所定長さ以上を有する。
【０１１７】
この場合、第１〜第３スリット１５１〜１５３の周縁により囲まれる第１〜第３係止部１４１〜１４３は概ね矩形状である。つまり、折り曲げ部１４１ａ、１４２ａ、１４３ａと自由端部１４１ｂ、１４２ｂ及び１４３ｂとにより囲まれる第１〜第３係止部１４１〜１４３は、概ね矩形状である。よって、折り曲げられた第１〜第３係止部１４１〜１４３の矩形状の面と、室外熱交換器３０の前面との接触面積を大きくできる。そのため、第１〜第３係止部１４１〜１４３の矩形状の面を、室外熱交換器３０の面に沿って安定的に係止できる。これにより、第１〜第３係止部１４１〜１４３を介して、ファンモータ台２０を室外熱交換器３０に容易に係止することができる。
【０１１８】
（３−５）
複数の第１〜第３スリット１５１〜１５３は、互いに離隔するように形成されている。
【０１１９】
例えば、第１〜第３スリット１５１〜１５３は、ファンモータ台２０に隣接する側から室外熱交換器３０の背面側に向かって順に配置されている。さらに、第１〜第３スリット１５１〜１５３は、ファンモータ台２０に隣接する側から室外熱交換器３０の背面側に向かって、折り曲げ部１４１ａ、１４２ａ、１４３ａの延びる方向の長さが順に大きくなるように形成されている。このとき、隣接するスリットにおいて、一方のスリットの端部と、他方のスリットの頂部との間の最短距離は所定長さ以上である。
【０１２０】
逆に、第１〜第３スリット１５１〜１５３は、ファンモータ台２０に隣接する側から室外熱交換器３０の背面側に向かって、折り曲げ部１４１ａ、１４２ａ、１４３ａの延びる方向の長さが順に小さくなるように形成されていてもよい。このとき、隣接するスリットにおいて、一方のスリットの端部と、他方のスリットの頂部との間の最短距離は所定長さ以上である。
【０１２１】
また、第１〜第３スリット１５１〜１５３は、小さなスリットが、互いに離隔するように分散して形成されていてもよい。
【０１２２】
このように、隣接する第１〜第３スリット１５１〜１５３が互いに離隔するように配置される。第１〜第３スリット１５１〜１５３どうしが離隔しているため、第１〜第３係止部１４１〜１４３を折り曲げた際に、第１〜第３係止部１４１〜１４３のちぎれや折れを抑制することができる。
【０１２３】
（３−６）
第１〜第３スリット１５１〜１５３は、ファンモータ台２０に隣接する側（前板１１側）から室外熱交換器３０の背面側に向かって順に配置されている。また、ファンモータ台２０に隣接する側（前板１１側）から室外熱交換器３０の背面側に向かって、第１〜第３係止部１４１〜１４３が折り曲げられる折り曲げ部１４１ａ、１４２ａ、１４３ａの延びる方向の長さが順に大きくなる。
【０１２４】
これにより、隣接するスリットどうしが互いに離隔される。よって、第１〜第３係止部１４１〜１４３を折り曲げた際に、第１〜第３係止部１４１〜１４３のちぎれや折れを抑制することができる。
【０１２５】
（３−７）
ファンモータ台２０は、天板１３に隣接する天板対向部２３をさらに備える。接触部２４は、天板対向部２３に対して一段下がった位置において天板対向部２３に接続されている。
【０１２６】
上記ファンモータ台２０は天板１３に隣接する天板対向部２３を備えている。天板対向部２３は天板１３に加わった荷重を支持する。接触部２４は、天板対向部２３よりも一段下がった位置に形成されている。この接触部２４に、ファンモータ台２０を室外熱交換器３０に係止する第１〜第３係止部１４１〜１４３が形成される。そのため、天板対向部２３に加わった力が室外熱交換器３０に伝わることを抑制することができる。
【０１２７】
また、天板対向部２３と接触部２４との境界の領域ではなく、接触部２４の一部を折り曲げることで第１〜第３係止部１４１〜１４３が形成される。つまり、平面からなる接触部２４の一部を折り曲げることで第１〜第３係止部１４１〜１４３が形成される。よって、金型を接触部２４に押し当てて容易に第１〜第３係止部１４１〜１４３を形成することができる。
【０１２８】
（３−８）
接触部２４は背面係止部１４４をさらに含む。背面係止部１４４は、室外熱交換器３０の前面とは反対側の背面を係止する。
【０１２９】
上記の背面係止部１４４は、室外熱交換器３０の背面を係止する。一方、第１〜第３係止部１４１〜１４３は、対応する室外熱交換器３０の前面を係止する。よって、背面係止部１４４と、第１〜第３係止部１４１〜１４３のいずれかとによって、室外熱交換器３０の前面及び背面を挟持することができる。これにより、ファンモータ台２０を室外熱交換器３０に係止することができる。
【０１３０】
（４）変形例
（４−１）変形例１Ａ
上記実施形態では、１台、２台又は３台の室外熱交換器３０が設置されるいずれの場合でも、ファンモータ台２０は室外熱交換器３０に係止可能である。そのため、接触部２４には、第１係止部１４１、第２係止部１４２及び第３係止部１４３が設けられている。
【０１３１】
しかし、接触部２４は、１台又は２台の室外熱交換器３０が設置されるいずれの場合に室外熱交換器３０に係止可能なように構成されていてもよい。つまり、接触部２４には、第１係止部１４１及び第２係止部１４２が設けられている。１台の室外熱交換器３０が設置される場合には、第１係止部１４１が下側に折り曲げられる。第１係止部１４１は、当該室外熱交換器３０の前面に係止する。また、２台の室外熱交換器３０が設置される場合には、第２係止部１４２が下側に折り曲げられる。第２係止部１４２は、ファンモータ台２０に最も隣接する室外熱交換器３０、つまり背面側から２つ目の室外熱交換器３０の前面に係止する。
【０１３２】
さらに、接触部２４は、３台以上の室外熱交換器３０が設置されるいずれの場合でも、室外熱交換器３０に係止可能なように構成されていてもよい。つまり、接触部２４には、設置される室外熱交換器３０の最大数に応じて、複数の係止部が設けられている。複数の係止部のうち所定の係止部が、対応する室外熱交換器３０に係止される。つまり、実際に設置される室外熱交換器３０の数に対応した係止部が折り曲げられる。この係止部が、ファンモータ台２０に最も隣接する室外熱交換器３０の前面に係止する。
【０１３３】
（４−２）変形例１Ｂ
上記実施形態では、第１、第２及び第３係止部１４１、１４２及び１４３の形状は、概ね矩形状である。しかし、第１、第２及び第３係止部１４１、１４２及び１４３の形状は、折り曲げ部１４１ａ、１４２ａ及び１４３ａを折り曲げることで、その平面を室外熱交換器３０に係止できればよく、特に限定されない。例えば、第１、第２及び第３係止部１４１、１４２及び１４３は、Ｕ字状、台形状及び三角形状などから形成され得る。図１３は、台形状の第１、第２及び第３係止部１４１、１４２及び１４３を有する接触部２４の斜視図である。図１３に示すように、第１、第２及び第３スリット１５１、１５２及び１５３により囲まれた第１、第２及び第３係止部１４１、１４２及び１４３は、台形状を有している。
【０１３４】
（４−３）変形例１Ｃ
上記実施形態では、図６、図７に示すように、第１、第２及び第３スリット１５１、１５２及び１５３は、ファンモータ台２０に隣接する側（前板１１側）から室外熱交換器３０の背面側に向かって、第３スリット１５３、第２スリット１５２及び第１スリット１５１の順に配置されている。さらに、ファンモータ台２０に隣接する側（前板１１側）から室外熱交換器３０の背面側に向かって、折り曲げ部１４３ａ、折り曲げ部１４２ａ及び折り曲げ部１４１ａの順にその延びる方向の長さが順に大きくなる（Ｌ３＜Ｌ２＜Ｌ１）。しかし、例えば第１、第２及び第３スリット１５１、１５２及び１５３は、次のように配置されてもよい。
【０１３５】
図１４〜図１７は、変形例に係る係止部を有する接触部２４の斜視図である。
【０１３６】
図１４の変形例では、第１、第２及び第３スリット１５１、１５２及び１５３は、ファンモータ台２０に隣接する側（前板１１側）から室外熱交換器３０の背面側に向かって、第３スリット１５３、第２スリット１５２及び第１スリット１５１の順に配置されている。さらに、上記実施形態とは異なり、ファンモータ台２０に隣接する側（前板１１側）から室外熱交換器３０の背面側に向かって、折り曲げ部１４３ａ、折り曲げ部１４２ａ及び折り曲げ部１４１ａの順にその延びる方向の長さが順に小さくなる（Ｌ３＞Ｌ２＞Ｌ１）。なお、上記実施形態と同様に、各スリットは、係止部のちぎれや折れを抑制できる程度に所定長さ以上離隔している。
【０１３７】
図１５の変形例では、折り曲げ部１４１ａ、１４２ａ、１４３ａの位置が、図６等の実施形態例とは異なる。図６の実施形態例では、折り曲げ部１４１ａ、１４２ａ、１４３ａに対して背面側、つまり室外熱交換器３０側に、第１、第２及び第３スリット１５１、１５２及び１５３が形成されている。よって、第１、第２及び第３係止部１４１、１４２及び１４３は、折り曲げ部１４１ａ、１４２ａ、１４３ａに対して背面側に形成されている。一方、図１５の変形例では、折り曲げ部１４１ａ、１４２ａ、１４３ａに対して前面側、つまり前板１１側に、第１、第２及び第３スリット１５１、１５２及び１５３が形成されている。よって、第１、第２及び第３係止部１４１、１４２及び１４３は、折り曲げ部１４１ａ、１４２ａ、１４３ａに対して前面側に形成されている。このとき、第１、第２及び第３スリット１５１、１５２及び１５３は、ファンモータ台２０に隣接する側（前板１１側）から室外熱交換器３０の背面側に向かって、第３スリット１５３、第２スリット１５２及び第１スリット１５１の順に配置されている。さらに、ファンモータ台２０に隣接する側（前板１１側）から室外熱交換器３０の背面側に向かって、折り曲げ部１４３ａ、折り曲げ部１４２ａ及び折り曲げ部１４１ａの順にその延びる方向の長さが順に大きくなる（Ｌ３＜Ｌ２＜Ｌ１）。
【０１３８】
図１６の変形例は、図１５の更なる変形例である。図１６では、図１５と異なり、ファンモータ台２０に隣接する側（前板１１側）から室外熱交換器３０の背面側に向かって、折り曲げ部１４３ａ、折り曲げ部１４２ａ及び折り曲げ部１４１ａの順にその延びる方向の長さが順に小さくなってもよい（Ｌ３＞Ｌ２＞Ｌ１）。その他の構成は、図１５と同様であるので説明を省略する。
【０１３９】
図１７の変形例に示すように、複数の係止部が互い違いに配置されていてもよい。図１７の例では、例えば、１つの第３係止部１４３、２つの第２係止部１４２−１、１４２−２及び１つの第１係止部１４１が設けられている。第３係止部１４３は、中心線Ｂ−Ｂに対して対称となるように形成されている。また、２つの第２係止部１４２−１、１４２−２は、中心線Ｂ−Ｂに対して対称の大きさ及び位置になるように配置されている。第１係止部１４１は、中心線Ｂ−Ｂに対して対称となるように形成されている。１台の室外熱交換器３０が設置される場合には、第１係止部１４１が下側に折り曲げられる。第１係止部１４１は当該室外熱交換器３０の前面に係止する。また、２台の室外熱交換器３０が設置される場合には、２つの第２係止部１４２−１、１４２−２が下側に折り曲げられる。２つの第２係止部１４２−１、１４２−２は、ファンモータ台２０に最も隣接する室外熱交換器３０、つまり背面側から２つ目の室外熱交換器３０の前面に係止する。また、３台の室外熱交換器３０が設置される場合には、第３係止部１４３が下側に折り曲げられる。第３係止部１４３は、ファンモータ台２０に最も隣接する室外熱交換器３０、つまり背面側から３つ目の室外熱交換器３０の前面に係止する。なお、互い違いに配置する係止部の数は図１７の例に限定されない。図１７の例よりも多数の係止部が互い違いに設けられてもよい。また、次のように第１、第２及び第３係止部１４１、１４２及び１４３を配置してもよい。複数の第１係止部１４１を中心線Ｂ−Ｂに対して対称となるように配置する。１つの第２係止部１４２を中心線Ｂ−Ｂに対して対称に形成する。複数の第３係止部１４３を中心線Ｂ−Ｂに対して対称となるように配置する。
【０１４０】
（４−４）変形例１Ｄ
上記実施形態では、支持部２１の上部には、天板対向部２３及び接触部２４が設けられている。そして、接触部２４は、天板対向部２３に対して一段低い位置となるように、天板対向部２３に接続されている。よって、天板対向部２３と接触部２４とは段差を有している。しかし、天板対向部２３と接触部２４とは同じ高さに形成されていてもよい。図１８は、本変形例に係る係止部を有する接触部２４の斜視図である。
【０１４１】
図１８の変形例では、天板対向部２３と接触部２４とは同じ高さである。つまり、天板対向部２３と接触部２４とは面一である。接触部２４には、上記実施形態と同様に、第１、第２及び第３スリット１５１、１５２及び１５３が形成されている。よって、接触部２４は、第１、第２及び第３係止部１４１、１４２及び１４３を有する。第１、第２及び第３係止部１４１、１４２及び１４３は、第１、第２及び第３スリット１５１、１５２及び１５３に囲まれている。
【０１４２】
なお、第１、第２及び第３スリット１５１、１５２及び１５３の配置及び形状については、上記変形例を本変形例に適用可能である。
【０１４３】
（４−５）変形例１Ｅ
上記実施形態では、支持部２１、天板対向部２３、接触部２４及び前延長部２５に、膨出部１３１、１３３、１３５が設けられている。しかし、膨出部１３１、１３３、１３５は必須の構成要素ではない。ただし、ファンモータ台２０の強度を向上し、天板１３の変形の変形を抑制するためには、膨出部１３１、１３３、１３５が設けられているのが好ましい。
【０１４４】
なお、上記形態では、膨出部１３１、１３３、１３５は、各平面から盛り上がるように形成されている。しかし、膨出部１３１、１３３、１３５とは異なり、各平面に対して盛り下がるような凹部が形成されていてもよい。
【０１４５】
（４−６）変形例１Ｆ
上記実施形態のファンモータ台２０では、支持部２１、モータ保持部２２、天板対向部２３、接触部２４、前延長部２５及び底板対向部２６が一体に形成されている。しかし、これらの部材は別体で形成され、それぞれが組み合わされてもよい。例えば、天板対向部２３、接触部２４、前延長部２５及び底板対向部２６は、支持部２１と別体として形成され、支持部２１に取り付けられてもよい。
【０１４６】
ただし、ファンモータ台２０において上記各部材が一体に形成されていると、製造工程を簡略化でき、コストアップを抑制でき、各部材の接続による脆弱性も抑制できる。
【０１４７】
（４−７）変形例１Ｇ
上記実施形態のファンモータ台２０では、第１支持部２１ａ及び第２支持部２１ｂは、モータ保持部２２が前側に突出するように折り曲げられている。しかし、第１支持部２１ａ及び第２支持部２１ｂは直線状であってもよい。ただし、上記実施形態のように第１支持部２１ａ及び第２支持部２１ｂが前側に突出するように折り曲げられていると、ファン翼１５ａの奥行きが大きく形成でき好ましい。
【産業上の利用可能性】
【０１４８】
以上の通り、本発明によれば簡単な構成で熱交換器を挟持可能なファンモータ台を提供することができる。そのため、ファンを支持するためのファンモータ台を有するあらゆる冷凍装置ユニットに本発明を適用可能である。
【符号の説明】
【０１４９】
１１      前板
１３      天板
１４      底板
２０      ファンモータ台
２１      支持部
２２      モータ保持部
２３      天板対向部
２４      接触部
２５      前延長部
２６      底板対向部
２７      段差面部
３０      室外熱交換器
１００    室外ユニット（冷凍装置ユニット）
１４１    第１係止部
１４２    第２係止部
１４３    第３係止部
１４１ａ〜１４３ａ  折り曲げ部
１４１ｂ〜１４３ｂ  自由端部
１４４    背面係止部
１５１    第１スリット
１５２    第２スリット
１５３    第３スリット
【先行技術文献】
【特許文献】
【０１５０】
【特許文献１】特開２０１２−１１２６２９号公報
【図１】
2016090086.tif 000003
【図２】
2016090086.tif 000004
【図３】
2016090086.tif 000005
【図４】
2016090086.tif 000006
【図５】
2016090086.tif 000007
【図６】
2016090086.tif 000008
【図７】
2016090086.tif 000009
【図８】
2016090086.tif 000010
【図９】
2016090086.tif 000011
【図１０】
2016090086.tif 000012
【図１１】
2016090086.tif 000013
【図１２】
2016090086.tif 000014
【図１３】
2016090086.tif 000015
【図１４】
2016090086.tif 000016
【図１５】
2016090086.tif 000017
【図１６】
2016090086.tif 000018
【図１７】
2016090086.tif 000019
【図１８】
2016090086.tif 000020